(57)【要約】【目的】本発明は手や足の爪を切る際に切った爪屑の三次元的な飛散をも防止することを目的とした簡易的で低価格で使い捨てができ、自分自身の爪切りはもちろんのこと第三者の爪切りへも適用出来る爪屑飛散防止カバーに関するものである。【構成】自在性があり透明度が高い筒状覆いである透明カバー１の両端開口部の手や足の差し込み口３にゴムなど伸縮性の高い伸縮輪２を有して透明カバー１の両端を伸縮自在に絞った構成とし、透明カバー１のサイズは手や足が余裕を持って入る空間を構成する大きさとし、差し込み口３の伸縮輪２は閉まった状態で差し込んだ手や足を外部から密閉出来る伸縮性能とする。【選択図】図１
2006311994.tif 000002
【特許請求の範囲】
【請求項１】
自在性があり透明度が高い筒状覆いである透明カバー１の両端開口部の手や足の差し込み口３にゴムなど伸縮性のよい伸縮輪２を有した構成を特徴とした爪屑飛散防止カバー。
【請求項２】
自在性があり透明度が高い筒状覆いである透明カバー１の両端開口部の手や足の差し込み口３にゴムなど伸縮性のよい伸縮輪２を有し、透明カバー１の長さ方向ほぼ中央位置に輪状の補強リング４を有した構成を特徴とした爪屑飛散防止カバー。
【請求項３】
自在性があり透明度が高い袋状覆いである透明カバー袋５の三箇所を開口して、その開口部である手や足の差し込み口３に伸縮性のよい伸縮輪２を有した構成を特徴とした爪屑飛散防止カバー。
【発明の詳細な説明】
【技術分野】
【０００１】  本発明は手や足の爪を切る際に切った爪屑の三次元的な飛散をも防止することを目的とした簡易的で低価格で使い捨てができ、自分自身の爪切りはもちろんのこと第三者の爪切りへも適用出来る爪屑飛散防止カバーに関するものである。
【背景技術】
【０００２】  爪屑の飛散防止を目的とした従来の技術は次の三タイプに大分される。
（イ）特許公開２００３−８８４１７「爪切りとケース付爪切り」のように爪切り器自体に爪屑収納ケースを保有する技術。
（ロ）特許公開２００２−１０１９４５「爪切り空間（被介護者等の爪を切る仕組み、設備）」のように大型の爪切り設備技術。
（ハ）実用新案第３０７５７３４号「爪屑袋入れ収納ケース付き爪切り」のように指を一本ずつ爪屑袋にいれて爪を切る技術。
【発明が解決しようとする課題】
【０００３】  従来の一般的な爪切り方法としては新聞紙などを敷いてその上で爪を切り爪屑を回収する方法であったが、言うまでもなく三次元的に飛散する爪屑を平面的対策で防止するのは困難で新聞紙の外に散乱し問題であった。
従来の技術的な問題点を列記すれば、
（イ）特許公開２００３−８８４１７「爪切りとケース付爪切り」のような爪切り器自体に爪屑収納ケースを保有する技術では爪屑を完全にケースへ収納することは困難であったし、構造が複雑となるため使い勝手が悪いと言った欠点があった。
（ロ）特許公開２００２−１０１９４５「爪切り空間（被介護者等の爪を切る仕組み、設備）」のような大型の爪切り設備は高額な製作費用を必要とするし、何処でも、誰でもが容易に使える技術ではなく現実的ではなかった。
（ハ）実用新案第３０７５７３４号「爪屑袋入れ収納ケース付き爪切り」のような指一本一本を袋にいれて爪を切る技術は手間がかかり非効率的であったし、構造的にも爪屑の完全な飛散防止は困難であった。
【０００４】  上記に列記するように従来の技術に於ては種々問題があり、特に清潔性や感染防止を要求される病院や介護施設などでは衛生的にも対応を急ぐ必要があった。
【課題を解決する手段】
【０００５】  問題を解決する手段を列記すれば、
請求項１については自在性があり透明度が高い筒状覆いである透明カバー１の両端開口部の手や足の差し込み口３にゴムなど伸縮性の高い伸縮輪２を有して透明カバー１の両端を伸縮自在に絞った構成とし、透明カバー１のサイズは手や足が余裕を持って入る空間を構成する大きさとし、差し込み口３の伸縮輪２は閉まった状態で差し込んだ手や足を外部から密閉出来る伸縮性能とする。
【０００６】  請求項２については自在性があり透明度が高い筒状覆いである透明カバー１の両端開口部の手や足の差し込み口３にゴムなど伸縮性の高い伸縮輪２を有して透明カバー１の両端を伸縮自在に絞った透明カバー１の長さ方向ほぼ中央位置に輪状の補強リング４を有した構成とする。
【０００７】  請求項３については自在性があり透明度が高い袋状覆いである透明カバー袋５のほぼ三方向に均等する三箇所を開口して手や足の差し込み口３とし、差し込み口３にゴムなどの伸縮性の高い伸縮輪２を有した構成とする。
【作用】
【０００８】  次に本発明の作用を述べると、
請求項１については、
（イ）自分の手の爪を切る場合には片手に爪切り具６を持って透明カバー１の伸縮輪２を拡げて両端の差し込み口３から片手ずつ差し込みます。
（ロ）手を締め付ける伸縮輪２により透明カバー１内は密閉された状態になります。
（ハ）この状態で爪を切れば透明カバー１により爪切り状況が外部から目視して操作出来るし三次元に飛散する爪屑を透明カバー１内に納める作用である。
（ニ）この作用は第三者の手や足の爪を切ってやる場合に於ても同様に作用する。
（ホ）使い捨て用として使用する場合には透明カバー１内の爪屑と一緒にごみ箱などへ捨てる。
【０００９】  請求項２については、
（イ）補強リング４により透明カバー１の透明覆い材が自重で落ち込んで爪切り作用の障害となることを防止する補強作用である。
（ロ）補強リング４により透明カバー１の透明覆い材を凹状に落とし込み爪屑を効率的に集屑する作用である。
（ハ）他の作用は請求項１と同様である。
【００１０】  請求項３については、
（イ）三箇所の手や足の差し込み口３により、両手を透明カバー袋５内に入れて爪切りを行なう作用である。
（ロ）透明カバー袋５内で両手を自由に使えるため楽な姿勢での爪切りを可能とする作用である。
（ハ）特に第三者の手や足の爪を切る場合には空間部が広く両手を使えるため有効に作用します。
（ニ）他の作用は請求項１と同様である。
【発明を実施するための最良の形態】
【００１１】  具体実施例を述べれば、
（イ）透明カバー１や透明カバー袋５は透明性が良く薄手のビニール素材などを適用する。
（ロ）差し込み口３の伸縮輪２は伸縮性の良い輪ゴムなどを適用する。
（ハ）透明カバー１の補強リング４は透明性のある細サイズのプラスチック素材などとする。
（ニ）爪屑飛散防止カバーを抗菌加工や消臭加工してクリーン性を高める。
（ホ）透明袋カバー５に伸縮輪２を有する差し込み口３を四箇所有する場合もある。
（ヘ）透明カバー１や透明袋カバー５に拡大鏡や照明を組み合せる場合がある。
【効果】
【００１２】  本発明により、簡単な操作で低価格で、且シンプルな構成で爪屑の飛散を完全に防止でき清潔で明るく楽しい社会づくりに大きく貢献します。
具体例を列記すれば、
（イ）家庭に於てはお部屋を汚す事なく一家で楽しみながら爪を切ることが出来ます。
（ロ）病院や介護施設などは特に清潔な環境が必要であるし、感染病の対策としても大変有効に作用します。
（ハ）第三者の爪を切ってやる場合は本発明の爪屑飛散防止カバー内でスキンシップを高め精神的にも有効に作用します。
（ニ）製造費用も構造的にも材質的にも低コスト化がはかれるため使い捨て商品としても提供でき利便性にも有効に作用します。
【図面の簡単な説明】
【図１】本発明の請求項１の一例を示す斜視図
【図２】本発明の請求項２の一例を示す斜視図
【図３】本発明の請求項３の一例を示す斜視図
【図４】本発明の請求項２の手の爪を切る使用例を示す斜視図
【図５】本発明の請求項２の足の爪を切る使用例を示す斜視図
【図６】本発明の請求項３の手の爪を切る使用例を示す斜視図
【符号の説明】
１は透明カバー
２は伸縮輪
３は差し込み口
４は補強リング
５は透明カバー袋
６は爪切り具
【図１】
2006311994.tif 000003
【図２】
2006311994.tif 000004
【図３】
2006311994.tif 000005
【図４】
2006311994.tif 000006
【図５】
2006311994.tif 000007
【図６】
2006311994.tif 000008